(57)【要約】【課題】ユーザーがドアポケット内および貯蔵室内を整理する場合の利便性を改善する。【解決手段】冷蔵庫は、貯蔵室の棚板上に載置されたものであって食品を支える第１の食品支えが着脱可能に収納された食品容器と、食品を支える第２の食品支えが着脱可能に収納されたドアポケットを備えたものであり、第１の食品支えおよび第２の食品支えは食品容器内およびドアポケット内間で交換可能にされている。【選択図】図２
2015038410.tif 000002
【特許請求の範囲】
【請求項１】
貯蔵室の前面を開閉する扉と、
前記貯蔵室に設けられ、前記貯蔵室を上下方向に仕切る棚板と、
前記棚板上に載置されたものであって、食品を支える第１の食品支えが着脱可能に収納された食品容器と、
前記扉に前記扉の閉鎖状態での後面に位置して設けられ、食品を支える第２の食品支えが着脱可能に収納されたドアポケットを備え、
前記第１の食品支えおよび前記第２の食品支えは、前記食品容器内および前記ドアポケット内間で交換可能にされていることを特徴とする冷蔵庫。
【請求項２】
貯蔵室の前面を開閉する扉と、
前記貯蔵室に設けられ、前記貯蔵室を上下方向に仕切る棚板と、
前記棚板上に載置された食品容器と、
前記扉に前記扉の閉鎖状態での後面に位置して設けられたドアポケットと、
前記ドアポケット内に相互に異なる第１の姿勢および第２の姿勢で着脱可能に収納されたものであって、当該第１の姿勢で前記ドアポケットにスライド可能に引掛かる第１の引掛けおよび当該第２の姿勢で前記ドアポケットにスライド可能に引掛かる第２の引掛けを有する食品支えを備え、
前記食品支えは、前記食品容器内に相互に異なる複数の姿勢で着脱可能に収納されるものであって当該複数の姿勢のうちの２以上で前記第１の引掛けが前記食品容器にスライド可能に引掛かることを特徴とする冷蔵庫。
【請求項３】
前記第１の引掛けは、前記食品支えの長手方向が前記扉の開放状態で前後方向へ指向する第１の姿勢で前記食品支えが前記ドアポケット内に収納された場合に前記ドアポケットにスライド可能に引掛かり、
前記第２の引掛けは、前記食品支えの短手方向が前記扉の開放状態で前後方向へ指向する第２の姿勢で前記食品支えが前記ドアポケット内に収納された場合に前記ドアポケットにスライド可能に引掛かることを特徴とする請求項２に記載の冷蔵庫。
【請求項４】
貯蔵室の前面を開閉する扉と、
前記扉に前記扉の閉鎖状態での後面に位置して設けられたドアポケットと、
前記ドアポケット内に設けられ、上面が開口する第１の食品収納部および上面が開口する第２の食品収納部を有する食品支えを備え、
前記第２の食品収納部は、前記第１の食品収納部に比べて前記扉の開放状態での前側に配置されたものであって前記第１の食品収納部に比べて上下方向の高さ寸法が小さく設定されていることを特徴とする冷蔵庫。
【請求項５】
前記第１の食品収納部は、下面が開口していることを特徴とする請求項４に記載の冷蔵庫。
【請求項６】
前記食品支えは、前記ドアポケット内に相互に異なる複数の姿勢で収納可能にされていることを特徴とする請求項４および５のいずれかに記載の冷蔵庫。
【発明の詳細な説明】
【技術分野】
【０００１】
実施例は冷蔵庫に関する。
【背景技術】
【０００２】
冷蔵庫にはドアポケットを備えたものがある。このドアポケットは扉に扉の閉鎖状態での後面に位置して設けられたものであり、扉の閉鎖状態で貯蔵室内に収納される。このドアポケット内には食品立てが収納されており、山葵入のチューブおよび醤油入の小袋等の小形な食品は食品立てに収納される。
【先行技術文献】
【特許文献】
【０００３】
【特許文献１】特開２０１１−１８５４６４号公報
【発明の概要】
【発明が解決しようとする課題】
【０００４】
従来の冷蔵庫の場合には食品立ての収納箇所がドアポケット内に固定されていた。従って、ユーザーが食品立ての配置をドアポケット内から変えることができず、ドアポケット内および貯蔵室内を整理する場合の利便性の点で改善の余地がある。
【課題を解決するための手段】
【０００５】
実施例の冷蔵庫は、貯蔵室の前面を開閉する扉と、前記貯蔵室に設けられ前記貯蔵室を上下方向に仕切る棚板と、前記棚板上に載置されたものであって食品を支える第１の食品支えが着脱可能に収納された食品容器と、前記扉に前記扉の閉鎖状態での後面に位置して設けられ食品を支える第２の食品支えが着脱可能に収納されたドアポケットを備え、前記第１の食品支えおよび前記第２の食品支えは前記食品容器内および前記ドアポケット内間で交換可能にされているところに特徴を有する。
【０００６】
実施例の冷蔵庫は、貯蔵室の前面を開閉する扉と、前記貯蔵室に設けられ前記貯蔵室を上下方向に仕切る棚板と、前記棚板上に載置された食品容器と、前記扉に前記扉の閉鎖状態での後面に位置して設けられたドアポケットと、前記ドアポケット内に相互に異なる第１の姿勢および第２の姿勢で着脱可能に収納されたものであって当該第１の姿勢で前記ドアポケットにスライド可能に引掛かる第１の引掛けおよび当該第２の姿勢で前記ドアポケットにスライド可能に引掛かる第２の引掛けを有する食品支えを備え、前記食品支えは前記食品容器内に相互に異なる複数の姿勢で着脱可能に収納されるものであって当該複数の姿勢のうちの２以上で前記第１の引掛けが前記食品容器にスライド可能に引掛かるところに特徴を有する。
【図面の簡単な説明】
【０００７】
【図１】実施例１を示す図（冷蔵庫を左ドアおよび右ドアの開放状態で示す図）
【図２】卵ケースを示す図
【図３】ドアポケットを示す図
【図４】スタンドを示す図
【発明を実施するための形態】
【実施例１】
【０００８】
図１のキャビネット１は前面が開口する縦長な四角箱状をなすものであり、底壁と天壁と左側壁と右側壁と後壁を有している。これら底壁〜後壁のそれぞれはケース内に真空断熱材を収納することで構成されたものであり、キャビネット１は断熱性を有している。このキャビネット１内には冷蔵室２が形成されている。この冷蔵室２は前面が開口するものであり、冷蔵室２内に対しては冷蔵室２の前面を通して食品が出し入れされる。この冷蔵室２は貯蔵室に相当する。
【０００９】
キャビネット１には、図１に示すように、左ドア３および右ドア４が装着されている。これら左ドア３および右ドア４のそれぞれはケース内に真空断熱材を収納することで構成されたものであり、断熱性を有している。左ドア３はキャビネット１の左側壁の前端部に垂直な軸５を中心に回転可能に装着されたものであり、冷蔵室２の前面のうち左半部を閉鎖する閉鎖状態および左半部を開放する開放状態間で操作可能にされている。右ドア４はキャビネット１の右側壁の前端部に垂直な軸６を中心に回転可能に装着されたものであり、冷蔵室２の前面のうち右半部を閉鎖する閉鎖状態および右半部を開放する開放状態間で操作可能にされている。これら左ドア３および右ドア４のそれぞれには閉鎖状態での後面に位置して四角枠状のパッキン７が固定されており、左ドア３および右ドア４のそれぞれの閉鎖状態では両パッキン７がキャビネット１の前端面に密着することで冷蔵室２を気密状態とする。これら左ドア３および右ドア４のそれぞれは扉に相当する。
【００１０】
冷蔵室２内には、図１に示すように、複数の棚板８が装着されている。これら複数の棚板８のそれぞれは透明な合成樹脂を材料とする水平なものであり、上下方向に間隔を置いて配置されている。これら複数の棚板８のそれぞれは冷蔵室２内を上下方向に仕切るものであり、食品は棚板８の上面に載せられることで冷蔵室２内に収納される。
【００１１】
図２の卵ケース９は複数の棚板８のそれぞれの上面に載せられることで冷蔵室２内に収納されるものである（図１参照）。この卵ケース９は食品容器に相当するものであり、上面が開口する直方体状をなしている。この卵ケース９は透明な合成樹脂（ポリスチレン）を材料とするものであり、底板１０と周板１１と手掛け１２を有している。底板１０は棚板８の上面に載せられるものであり、短辺および長辺を有する水平な長方形状をなしている。周板１１は底板１０を取り囲むものである。この周板１１は上下方向から見た場合に短辺および長辺を有する長方形の筒状をなすものであり、底板１０は周板１１の下面を閉鎖している。手掛け１２はユーザーが卵ケース９を冷蔵室２内に対して出し入れする場合に手指を掛けるものであり、周板１１の上端部から前へ突出している。
【００１２】
卵ケース９内には、図２の（ａ）に示すように、卵立て１３が着脱可能に収納されている。この卵立て１３は透明な合成樹脂（ポリスチレン）を材料とするものであり、下面が開口する直方体状をなしている。この卵立て１３は第１の食品立てに相当するものであり、天板１４および周板１５を有している。天板１４は短辺および長辺を有する水平な長方形状をなすものであり、周板１５は天板１４を取り囲むものである。この周板１５は上下方向から見た場合に短辺および長辺を有する長方形の筒状をなすものであり、天板１４は周板１５の上面を閉鎖している。この卵立て１３は周板１５の下端面が卵ケース９の底板１０によって支持されることで卵ケース９内に収納されるものであり、卵立て１３が卵ケース９内に収納された卵立て１３の収納状態では卵立て１３の外周面が卵ケース９の内周面に接触することで卵立て１３が水平方向へずれ動くことが防止される。
【００１３】
卵立て１３の天板１４は、図２の（ａ）に示すように、卵立て１３の収納状態で卵ケース９の底板１０に上から隙間を介して対向する水平状態となるものである。この卵立て１３の天板１４には複数の卵収納孔１６が形成されている。これら複数の卵収納孔１６のそれぞれは円形状の貫通孔からなるものであり、卵は卵収納孔１６内に上から挿入されることで卵立て１３の天板１４によって支持される。
【００１４】
右ドア４の下端部には、図１に示すように、閉鎖状態での後面に位置して大形ドアポケット１７が固定されている。この大形ドアポケット１７は透明な合成樹脂を材料とするものであり、底板１８および周板１９を有している。底板１８は水平なものであり、周板１９は底板１８を右ドア４側の一辺を除いて取り囲むものである。この大形ドアポケット１７は右ドア４と協働して上面が開口する空間状の大形食品収納部を形成するものであり、大形ドアポケット１７の大形食品収納部内には飲料水入のボトルおよび牛乳入の紙パック等の大形食品が収納される。この大形ドアポケット１７は左ドア３の閉鎖状態での後面にも固定されている。
【００１５】
右ドア４には、図１に示すように、閉鎖状態での後面に位置して２つのドアポケット２０が固定されている。これら２つのドアポケット２０のそれぞれは透明な合成樹脂（ポリスチレン）を材料とするものであり、大形ドアポケット１７の上方に上下方向に相互に間隔を置いて配置されている。これら２つのドアポケット２０のそれぞれは、図３に示すように、底板２１および周板２２を有している。底板２１は水平なものであり、周板２２は底板２１を右ドア４側の一辺を除いて取り囲むものである。これら２つのドアポケット２０のそれぞれは右ドア４と協働して上面が開口する空間状の食品収納部を形成するものであり、２つの食品収納部内のそれぞれには大形食品収納部内に比べて小さな小形食品が収納される。これら２つのドアポケット２０は左ドア３の閉鎖状態での後面にも固定されている。
【００１６】
卵立て１３は、図３の（ｃ）に示すように、長手方向の幅寸法Ｗｅが右ドア４の閉鎖状態でのドアポケット２０の食品収納部の左右方向の幅寸法に比べて小さく設定されたものである。この卵立て１３は短手方向の幅寸法が右ドア４の閉鎖状態での食品収納部の前後方向の幅寸法に比べて小さく設定されたものであり、右ドア４の閉鎖状態で長手方向が左右方向へ指向する横向きにドアポケット２０内に着脱可能に収納可能にされている。この卵立て１３がドアポケット２０内に収納された卵立て１３の収納状態では卵立て１３の周板１５の下端面がドアポケット２０の底板２１によって支持されることで卵立て１３の天板１４がドアポケット２０の底板２１に上から隙間を介して対向する水平状態となり、卵が卵立て１３の卵収納孔１６内に上から挿入されることで卵立て１３の天板１４によって支持される。即ち、卵立て１３は卵ケース９内およびドアポケット２０内のいずれに収納された場合であっても相互に同一に機能する。
【００１７】
ドアポケット２０内には、図３の（ａ）および（ｂ）に示すように、スタンド２３が着脱可能に収納されている。このスタンド２３は透明な合成樹脂（ポリスチレン）を材料とするものであり、食品支えおよび第２の食品支えに相当する。このスタンド２３は、図４に示すように、周板２４および底板２５を有している。周板２４は上下方向から見た場合に短辺および長辺を有する長方形の筒状をなすものであり、水平方向から見た場合に上下方向の高さ寸法が大きな部分および小さな部分を有している。底板２５は水平なものであり、周板２４のうち高さ寸法が小さな部分の下面を閉鎖している。
【００１８】
スタンド２３は、図４に示すように、周板２４から下へ垂直に突出する脚２６を有している。この脚２６の下端面は周板２４のうち底板２５がない部分の下端面と共通の水平面上に配置されたものであり、スタンド２３は両下端面がドアポケット２０の底板２１によって支持されることでドアポケット２０内に水平に収納される。
【００１９】
スタンド２３は、図４に示すように、仕切壁２７を有している。この仕切壁２７は底板２５の端部に配置されたものであり、スタンド２３内を高さ寸法が小さな小食品収納部２８および小食品収納部２８に比べて高さ寸法が大きな大食品収納部２９に区画している。小食品収納部２８は下面が底板２５で閉鎖されたものであり、第２の食品収納部に相当する。大食品収納部２９は下面が開放されたものであり、第１の食品収納部に相当する。
【００２０】
スタンド２３は、図４に示すように、小食品収納部２８内に位置して仕切壁３０を有している。この仕切壁３０はスタンド２３の長手方向に沿って指向する垂直なものであり、小食品収納部２８内を醤油入の小袋等の小形食品が収納可能な大きさの２つの領域に区画している。スタンド２３は大食品収納部２９内に位置して仕切壁３１を有している。この仕切壁３１はスタンド２３の短手方向に沿って指向する垂直なものであり、大食品収納部２９内を山葵入のチューブ等の小形食品が縦向きに収納可能な大きさの２つの領域に区画している。
【００２１】
スタンド２３の周板２４の長手方向の幅寸法Ｗｌは、図３の（ａ）に示すように、Ｒドア４の閉鎖状態でのドアポケット２０内の前後方向の幅寸法に比べて小さく設定され、スタンド２３の短手方向の幅寸法ＷｓはＲドア４の閉鎖状態でのドアポケット２０内の左右方向の幅寸法に比べて小さく設定されており、スタンド２３はスタンド２３の長手方向がＲドア４の閉鎖状態で前後方向へ指向するようにドアポケット２０内に収納可能にされている。このスタンド２３のドアポケット２０に対する収納姿勢を縦姿勢と称する。
【００２２】
スタンド２３は、図４に示すように、縦用引掛け３２を有している。この縦用引掛け３２は第１の引掛けに相当するものであり、繋ぎ板３３および掛け板３４を有している。繋ぎ板３３は周板２４の短辺の上端部からスタンド２３の外部へ突出するものであり、掛け板３４は繋ぎ板３３の先端部から下へ延びるものである。この掛け板３４はスタンド２３の周板２４に隙間を介して対向するものであり、掛け板３４および周板２４間の隙間寸法の最小値はドアポケット２０の周板２２の厚さ寸法に比べて大きく設定されている。
【００２３】
ドアポケット２０の周板２２は、図３の（ａ）に示すように、スタンド２３の縦姿勢でスタンド２３の周板２４および掛け板３４間に挿入されるものである。このスタンド２３の縦姿勢ではドアポケット２０の周板２２がスタンド２３の周板２４および掛け板３４のそれぞれに対して離間しており、スタンド２３は縦姿勢のままドアポケット２０の周板２２に沿ってスライド操作可能にされている。
【００２４】
スタンド２３の周板２４の長手方向の幅寸法Ｗｌは、図３の（ｂ）に示すように、Ｒドア４の閉鎖状態でのドアポケット２０内の左右方向の幅寸法に比べて小さく設定され、スタンド２３の短手方向の幅寸法ＷｓはＲドア４の閉鎖状態でのドアポケット２０内の前後方向の幅寸法に比べて小さく設定されており、スタンド２３はスタンド２３の長手方向がＲドア４の閉鎖状態で左右方向へ指向するようにドアポケット２０内に収納可能にされている。このスタンド２３のドアポケット２０に対する収納姿勢を横姿勢と称する。このスタンド２３の横姿勢では右ドア４の開放状態でのスタンド２３の後方に空間が形成され、スタンド２３の後方の空間に食品を収納することが可能となる。
【００２５】
スタンド２３は、図３の（ｂ）に示すように、横用引掛け３５を有している。この横用引掛け３５は第２の引掛けに相当するものであり、縦用引掛け３２に比べて水平方向の長さ寸法が大に設定されている。この横用引掛け３５は繋ぎ板３６および掛け板３７を有している。繋ぎ板３６は周板２４の長辺の上端部からスタンド２３の外部へ突出するものであり、掛け板３７は繋ぎ板３６の先端部から下へ延びるものである。この掛け板３７はスタンド２３の周板２４に隙間を介して対向するものであり、掛け板３７および周板２４間の隙間寸法の最小値はドアポケット２０の周板２２の厚さ寸法に比べて大きく設定されている。
【００２６】
ドアポケット２０の周板２２は、図３の（ｂ）に示すように、スタンド２３の横姿勢でスタンド２３の周板２４および掛け板３７間に挿入されるものである。このスタンド２３の横姿勢ではドアポケット２０の周板２２がスタンド２３の周板２４および掛け板３７のそれぞれに対して離間しており、スタンド２３は横姿勢のままドアポケット２０の周板２２に沿ってスライド操作可能にされている。
【００２７】
スタンド２３の周板２４の長手方向の幅寸法Ｗｌは、図２の（ｂ）に示すように、卵ケース９内の短手方向の幅寸法に比べて小さく設定され、スタンド２３の周板２４の短手方向の幅寸法Ｗｓは卵ケース９内の長手方向の幅寸法に比べて小さく設定されており、スタンド２３はスタンド２３の長手方向が卵ケース９の長手方向に対して直角となる横姿勢で卵ケース９内に収納可能にされている。この卵ケース９の周板１１はスタンド２３の横姿勢でスタンド２３の周板２４および掛け板３４間に挿入されるものである。この卵ケース９の周板１１の厚さ寸法はスタンド２３の周板２４および掛け板３４間の隙間寸法に比べて小さく設定されている。即ち、スタンド２３の横姿勢では卵ケース９の周板１１がスタンド２３の周板２４および掛け板３４のそれぞれに対して離間しており、スタンド２３は横姿勢のまま卵ケース９の周板１１に沿って卵ケース９の長手方向へスライド操作可能にされている。
【００２８】
スタンド２３の周板２４の短手方向の幅寸法Ｗｓは、図２の（ｃ）に示すように、卵ケース９内の短手方向の幅寸法に比べて小さく設定され、スタンド２３の周板２４の長手方向の幅寸法Ｗｌは卵ケース９内の長手方向の幅寸法に比べて小さく設定されており、スタンド２３はスタンド２３の長手方向が卵ケース９の長手方向に対して平行となる縦姿勢で卵ケース９内に収納可能にされている。この卵ケース９の周板１１はスタンド２３の縦姿勢でスタンド２３の周板２４および掛け板３４間に挿入されるものである。このスタンド２３の縦姿勢では卵ケース９の周板１１がスタンド２３の周板２４および掛け板３４のそれぞれに対して離間しており、スタンド２３は縦姿勢のまま卵ケース９の周板１１に沿って卵ケース９の短手方向へスライド操作可能にされている。
【００２９】
上記実施例１によれば次の効果を奏する。
卵立て１３を卵ケース９内に着脱可能に収納すると共にスタンド２３をドアポケット２０内に着脱可能に収納し、卵立て１３およびスタンド２３を卵ケース９内およびドアポケット２０内間で交換可能とした。従って、ユーザーが卵立て１３の配置を卵ケース９内からドアポケット２０内に変更すると共にスタンド２３の配置をドアポケット２０内から卵ケース９内に変更することができるので、冷蔵室２内およびドアポケット２０内を整理する場合の利便性が高まる。
【００３０】
スタンド２３をドアポケット２０内に縦姿勢および横姿勢のそれぞれで収納可能とした。従って、スタンド２３を横姿勢とすることでドアポケット２０内のうち右ドア４の開放状態でのスタンド２３の後方に空間を形成し、食品をスタンド２３の後方の空間に収納することが可能となる。
【００３１】
スタンド２３の縦姿勢で縦用引掛け３２をドアポケット２０にスライド可能に引掛けたので、スタンド２３を縦姿勢に回り止めしたままドアポケット２０内でスタンド２３の位置を変えることができる。しかも、スタンド２３の横姿勢で横用引掛け３５をドアポケット２０にスライド可能に引掛けたので、スタンド２３を横姿勢に回り止めしたままドアポケット２０内でスタンド２３の位置を変えることができる。
【００３２】
スタンド２３を縦姿勢および横姿勢のそれぞれで卵ケース９内に収納可能とし、スタンド２３の卵ケース９に対する縦姿勢および横姿勢のそれぞれで縦用引掛け３２を卵ケース９にスライド可能に引掛けたので、スタンド２３を卵ケース９に対して縦姿勢および横姿勢のそれぞれに回り止めしたまま卵ケース９内でスタンド２３の位置を変えることができる。
【００３３】
卵ケース９と卵立て１３とドアポケット２０とスタンド２３のそれぞれを成形する材料としてポリスチレンを用いたので、卵ケース９〜スタンド２３のそれぞれの透明性が高まる。しかも、スタンド２３の縦用手掛け３２の掛け板３４を卵ケース９の周板１１およびドアポケット２０の周板２２のそれぞれから離間させ、スタンド２３の横用手掛け３５の掛け板３７を卵ケース９の周板１１およびドアポケット２０の周板２２のそれぞれから離間させた。従って、スタンド２３を卵ケース９内およびドアポケット２０内のそれぞれでスライド操作する場合に掛け板３４が周板１１および周板２２に接触した状態で移動することがなくなると共に掛け板３７が周板１１および周板２２に接触した状態で移動することがなくなるので、卵ケース９およびドアポケット２０のそれぞれが硬いにも拘らず傷付き難くなる。
【００３４】
スタンド２３の縦姿勢で縦用引掛け３２をドアポケット２０に引掛けることに応じてスタンド２３を縦姿勢に回り止めし、スタンド２３の横姿勢で横用引掛け３５をドアポケット２０に引掛けることに応じてスタンド２３を横姿勢に回り止めしたので、ユーザーがスタンド２３をドアポケット２０内で縦姿勢および横姿勢で使用することが可能となる。
【００３５】
スタンド２３に上面が開口する小食品収納部２８および上面が開口する大食品収納部２９を設け、小食品収納部２８の高さ寸法を大食品収納部２９に比べて小さく設定したので、ユーザーが醤油入の小袋等の小形食品および山葵入のチューブ等の縦長食品をスタンド２３内に区分けして収納することが可能となる。しかも、小食品収納部２８を大食品収納部２９に比べて右ドア４の開放状態での前側に配置した。従って、ユーザーが小食品収納部２８内から小形食品を取出す場合に縦長食品に邪魔されることがなくなり、小食品収納部２８内および大食品収納部２９内から食品を円滑に取出すことが可能となる。
【００３６】
スタンド２３の大食品収納部２９の下面を開放した。従って、大食品収納部２９内の底部にゴミが溜まることがなくなるので、ユーザーが細長な大食品収納部２９内にわざわざ清掃具を挿入して清掃する手間がなくなる。
【００３７】
上記実施例１においては、スタンド２３の大食品収納部２９の下面を閉鎖しても良い。
上記実施例１においては、スタンド２３の縦用引掛け３２および横用引掛け３５の少なくとも一方を廃止しても良い。
【００３８】
本発明のいくつかの実施例を説明したが、これらの実施例は例として提示したものであり、発明の範囲を限定することは意図していない。これら新規な実施例はその他の様々な例で実施されることが可能であり、発明の要旨を逸脱しない範囲で種々の省略、置き換え、変更を行うことができる。これら実施例やその変形は発明の範囲や要旨に含まれるとともに特許請求の範囲に記載された発明とその均等の範囲に含まれる。
【符号の説明】
【００３９】
２は冷蔵室（貯蔵室）、３は左ドア（扉）、４は右ドア（扉）、８は棚板、９は卵ケース（食品容器）、１３は卵立て（第１の食品支え）、２０はドアポケット、２３はスタンド（食品支え，第２の食品支え）、２８は小食品収納部（第２の食品収納部）、２９は大食品収納部（第１の食品収納部）、３２は縦用引掛け（第１の引掛け）、３５は横用引掛け（第２の引掛け）である。
【図１】
2015038410.tif 000003
【図２】
2015038410.tif 000004
【図３】
2015038410.tif 000005
【図４】
2015038410.tif 000006